(57)【要約】【課題】前パネルを前後方向にガタつくことなく強固に取り付けできる前パネルの取付構造を提供する。【解決手段】略水平な上面３ａと略垂直な背面３ｂを有する横骨３を備えたフレームに前パネル９ｃを取り付ける構造であって、後方へ水平に突出する載置片１６ｂと載置片の後端から垂下する垂下片１６ｃを有する固定金具１６を前パネル９ｃの裏面に固設し、固定金具１６の載置片１６ｂが横骨３の上面３ａに当接し垂下片１６ｃが横骨の背面３ｂの裏側に配置されるように固定金具１６を横骨３に引っ掛けるとともに、固定金具１６の垂下片１６ｃのネジ孔１６ｅに裏側から手回しネジ２１を締め付け、ネジ２１ａの前端を横骨３の背面３ｂに押し付けて前パネル９ｃをフレームに固定する。【選択図】図６
2011208406.tif 000002
【特許請求の範囲】
【請求項１】
略水平な上面と略垂直な背面を有する横骨を備えたフレームに前パネルを取り付ける構造であって、
少なくとも後方へ略水平に突出する載置片と該載置片の後端から垂下する垂下片を有する固定金具を前記前パネルの裏面に固設し、
該固定金具の載置片が前記横骨の上面に当接し固定金具の垂下片が前記横骨の背面の裏側に配置されるように該固定金具を横骨に引っ掛けるとともに、
前記固定金具の垂下片のネジ孔に背面側からネジを締め付け、該ネジの前端を前記横骨の背面に押し付けて
前記前パネルを前記フレームに固定する
ことを特徴とする前パネルの取付構造。
【請求項２】
前記ネジ孔に締め付けられる前記ネジは、手で回すことのできる手回し部を備えたネジである
ことを特徴とする請求項１に記載の前パネルの取付構造。
【請求項３】
前記フレームは上下複数の横骨を備えており、
横骨のうち上部の横骨には前記前パネルの裏面上部に固設した上部の前記固定金具を引っ掛けて前記ネジを締め付け固定するとともに、
横骨のうち下部の横骨には前記前パネルの裏面下部に固設した下部の固定金具を引っ掛け、該下部の固定金具はネジ固定せず該下部の固定金具の垂下片を下部の横骨の背面に弾性係止させる
ことを特徴とする請求項１または請求項２に記載の前パネルの取付構造。
【請求項４】
前記下部の固定金具が引っ掛けられる前記下部の横骨には、該下部の横骨の背面から後方へ突出する位置ずれ防止部材が設けられている
ことを特徴とする請求項３に記載の前パネルの取付構造。
【発明の詳細な説明】
【技術分野】
【０００１】
本発明は、小便器ユニット等における前パネルの取付構造に関するものである。
【背景技術】
【０００２】
この種の前パネルの取付構造として、特許文献１或いは特許文献２に開示されているような取付構造がある。
特許文献１の前パネルの取付構造では、枠体の前面下部に前パネルの下部を受ける下部連通材を設け、枠体の前面上部に前パネル上部を差し込む溝を設けて、この溝内に前パネルの上部を差し込んで前パネルが取り付けられるものである。
また、特許文献２における前パネルの取付構造では、フレームの前面上部に下向きに開放した係止溝を設け、フレームの前面下部に受け部を設けて、前パネルの上部を係止溝に差し込み、前パネルの下部を受け部上に支持させて前パネルを取り付ける構造となっている。
【先行技術文献】
【特許文献】
【０００３】
【特許文献１】特開２００２−３８５６６号公報
【特許文献２】特開２００１−５５７７５号公報
【発明の概要】
【発明が解決しようとする課題】
【０００４】
上記特許文献１および特許文献２に開示されている前パネルの取付構造では、前パネルの上部は枠体或いはフレーム側に設けられた溝内に差し込む構造であり、溝には前パネルの上部を差し込むための隙間の遊び代が必要であるため、溝内に前パネルの上部を差し込んだ状態では、前パネルの上部は前後方向にガタが生じやすく、前後方向にガタが生じると、前パネルの前面と隣のパネルの前面との間に面段差が生じて見栄えが悪くなるという問題点があった。
【課題を解決するための手段】
【０００５】
本発明は、隣のパネルとの面段差をなくして強固に取り付けできる前パネルの取付構造の提供を目的とし、この目的の少なくとも一部を達成するために以下の手段を採った。
本発明は、略水平な上面と略垂直な背面を有する横骨を備えたフレームに前パネルを取り付ける構造であって、
少なくとも後方へ略水平に突出する載置片と、載置片の後端から垂下する垂下片を有する固定金具を、前パネルの裏面に固設し、
固定金具の載置片が横骨の上面に当接し固定金具の垂下片が横骨の背面の裏側に配置されるように固定金具を横骨に引っ掛けるとともに、
固定金具の垂下片のネジ孔に背面側からネジを締め付け、ネジの前端を横骨の背面に押し付けて前パネルをフレームに固定することを要旨とする。
【発明の効果】
【０００６】
本発明の前パネルの取付構造では、前パネルの裏側に固設した固定金具を、フレームの横骨に引っ掛けて前パネルを取り付けることができ、固定金具のネジ孔に背面側からネジを締め付け、ネジの前端をフレームの横骨に押し付けることで、前パネルの裏面を強固にフレームの横骨に当接させて前パネルの前後方向を固定することができ、この前パネルの前後方向が固定された状態では、前パネルが前後方向にガタつくことがなく、隣のパネルの前面と前パネルの前面が面一状となり、隣のパネルとの面段差がなく見栄えの良好な前パネルの取付状態が得られるものである。
【０００７】
また、本発明の前パネルの取付構造において、ネジ孔に締め付けられるネジは、手で回すことのできる手回し部を備えたネジであるものとすることもできる。
こうすれば、手で回すことができるため、工具が不要で、フレームに前パネルを取り付ける作業を楽に行える。
【０００８】
また、本発明の前パネルの取付構造において、フレームは上下複数の横骨を備えており、横骨のうち上部の横骨には、前パネルの裏面上部に固設した上部の固定金具を引っ掛けてネジを締め付け固定するとともに、横骨のうち下部の横骨には、前パネルの裏面下部に固設した下部の固定金具を引っ掛け、下部の固定金具はネジ固定せず下部の固定金具の垂下片を下部の横骨の背面に弾性係止させる構成とすることもできる。
こうすれば、前パネルの裏面上部には上部の固定金具を取り付けておき、また、前パネルの裏面下部には下部の固定金具を取り付けておき、上部の固定金具はフレームの上部の横骨に引っ掛け、下部の固定金具はフレームの下部の横骨に引っ掛けて、上部と下部でフレームに前パネルを引っ掛けて取り付けることができ、下部の固定金具はフレームの横骨の背面に弾性係止させ、上部の固定金具はネジを締め付けネジの前端を横骨に押し付けることで、前パネルの上部および下部を前後にガタつくことなくフレームに取り付けることができ、前パネルの取付状態において隣のパネルとの面段差が生じないものとなる。
【０００９】
また、本発明の上部の固定金具と下部の固定金具を用いて前パネルを取り付ける構造において、下部の固定金具が引っ掛けられる下部の横骨には、下部の横骨の背面から後方へ突出する位置ずれ防止部材が設けられている構成とすることもできる。
こうすれば、フレームの下部の横骨には後方へ突出して位置ずれ防止部材が設けられているため、下部の横骨に下部の固定金具が引っ掛けられると、下部の固定金具は位置ずれ防止部材に当接して、前パネルの左右方向への位置ずれが防がれるものとなる。
【図面の簡単な説明】
【００１０】
【図１】小便器ユニットの設置状態の外観斜視図である。
【図２】小便器ユニットを構成するフレームに左右の前板を取り付ける状態の分解斜視図である。
【図３】フレームに前板を取り付けた状態の上部部位の拡大斜視構成図である。
【図４】フレームの上部横骨に前パネルの裏面上部に固設した上部固定金具を引っ掛けた状態の裏面側から視た要部拡大斜視構成図である。
【図５】フレームの下部横骨に前パネルの裏面下部に固定した下部固定金具を引っ掛けた状態の裏面側から視た要部拡大斜視構成図である。
【図６】上部固定金具のネジ孔に手回しネジをねじ込む前の分解斜視図である。
【図７】下部横骨に下部固定金具を引っ掛けた状態の側面拡大構成図である。
【図８】前パネルの取り付け高さを調整する状態を示すフレームと前パネルの要部拡大斜視構成図である。
【発明を実施するための形態】
【００１１】
次に、本発明を実施するための形態を実施例を用いて説明する。
図１は、小便器ユニットの設置状態の外観斜視図であり、図２は、小便器ユニットを構成するフレームに左右の前パネルを取り付ける状態の分解斜視構成図であり、図３は、フレームに左右の前パネルを取り付けた状態の要部拡大斜視図である。
【００１２】
小便器ユニット１は、フレーム２の前面に、中央前パネル９ａと左前パネル９ｂと右前パネル９ｃが取り付けられ、中央前パネル９ａの前面に小便器１０が取り付け固定される。また、フレーム２の上面には天板１５が設けられ、フレーム２の前面下部には床面１３から立ち上げてケコミ板１２が設けられる。また、トイレを構成する壁面１４ｂとの隙間を塞ぐために、フレーム２の前面の左右側には隙間調整部材１１ａ，１１ｂが設けられる。
トイレの背壁面１４ａに取り付けられるフレーム２は、前面側の上部に上部横骨３が横設され、前面側の下部には下部横骨４が横設されて、この上部横骨３，下部横骨４は縦方向の縦骨５で連結されている。また、フレーム２は奥行き方向に延びる複数の奥行き骨６，６を有し、奥行き骨６，６の後端に後部横骨７が連結されており、この後部横骨７がトイレの背壁面１４ａにボルト等で固定されるものである。
【００１３】
このフレーム２の前面中央部に取り付けられる中央前パネル９ａは、その前面に小便器１０を取り付けることによりフレーム２に押し付けられて、強固な固定状態で取り付けられる。この中央前パネル９ａの左右側に前面が面一状となるように左前パネル９ｂおよび右前パネル９ｃが取り付けられる。
左前パネル９ｂおよび右前パネル９ｃは、それぞれの裏面上部および裏面下部に固定金具１６，２０を予め固定しておき、この上部および下部に固定した固定金具１６，２０を、フレーム２の上部横骨３および下部横骨４に落とし込み状に引っ掛けて、左前パネル９ｂおよび右前パネル９ｃがフレーム２の前面に取り付けられるものである。
【００１４】
左前パネル９ｂと右前パネル９ｃの取付構造は同じであるため、右前パネル９ｃを例示して取付構造を以下に説明する。
図４は、右前パネル９ｃの裏面上部に固設した２個の上部固定金具１６，１６を、それぞれフレーム２の上部横骨３に引っ掛けた状態を示す裏面側からの拡大構成図である。また、図５は、右前パネル９ｃの裏面下部に固設した１個の下部固定金具２０をフレーム２の下部横骨４に引っ掛けた状態を示す裏面側からの拡大構成図である。
【００１５】
上部固定金具１６は、右前パネル９ｃの上部裏側にビス１８を用いて固定される垂直な固定片１６ａの下端に、後方へ略水平に突出して載置片１６ｂが形成され、この載置片１６ｂの後端で、略垂直に垂下する垂下片１６ｃが形成され、垂下片１６ｃの下端には、下端側が後方側へ傾斜したガイド片１６ｄが一体形成されている。
なお、右前パネル９ｃの裏面上部には間隔をおいて２個の上部固定金具１６，１６がビス１８で予め取り付け固定されるが、外側に位置する一方の上部固定金具１６の垂下片１６ｃには、雌ネジを形成したネジ孔１６ｅが設けられている。
なお、２個の上部固定金具１６，１６のそれぞれの載置片１６ｂの中央部には、上下方向に雌ネジを形成したネジ孔１６ｆが設けられ、ネジ孔１６ｆにはそれぞれ高さ調整ボルト１７が縦方向に螺合されている。
【００１６】
一方、図５に示すように、右前パネル９ｃの裏側下部にビス１８で固定される下部固定金具２０は、垂直な固定片２０ａの下端に、後方へ略水平に突出して載置片２０ｂが形成され、この載置片２０ｂの後端から下方側へ延びる垂下片２０ｃは、その下端側が前側へ傾斜する角度に形成されており、この垂下片２０ｃの下端から後方側へ傾斜してガイド片２０ｄが一体形成されている。
なお、ビス１８，１８が挿入される縦方向の縦長孔２０ｅ，２０ｅが固定片２０ａに形成されており、この縦長孔２０ｅ，２０ｅを介して下部固定金具２０は上下方向に位置調整できるように構成されている。
【００１７】
このように右前パネル９ｃの裏面上部には２個の上部固定金具１６，１６を予め固設しておき、また、右前パネル９ｃの裏面下部には１個の下部固定金具２０を予め固設しておき、この状態で、図４のように２個の上部固定金具１６をフレーム２の上部横骨３に引っ掛け、下部固定金具２０はフレーム２の下部横骨４に引っ掛けて、右前パネル９ｃをフレーム２の前面に取り付けることができる。
なお、フレーム２の上部横骨３および下部横骨４は、例えば角パイプで構成されており、略水平な上面３ａ，４ａと略垂直な背面３ｂ，４ｂを有する形状となっており、上部固定金具１６を引っ掛けた状態では、上部横骨３の上面３ａ上に載置片１６ｂが当接し、上部固定金具１６の垂下片１６ｃが上部横骨３の背面３ｂの裏側に垂下状に配置されることとなる。なお、ガイド片１６ｄが形成されているため、引っ掛ける時に良好に垂下片１６ｃを上部横骨３の背面３ｂの裏側に配置させることができる。
【００１８】
また、下部では、図５に示すように、下部横骨４の上面４ａ上に下部固定金具２０の載置片２０ｂが当接し、下部横骨４の背面４ｂに下部固定金具２０の垂下片２０ｃが図７のように弾性係止される。即ち、下部固定金具２０は、下部横骨４に引っ掛けられた状態では、垂下片２０ｃが下部横骨４の背面４ｂに当接し、垂下片２０ｃの弾性により右前パネル９ｃの裏面を下部横骨４の前面に押し付けることとなり、これにより右前パネル９ｃの下部は前後方向にガタつきなく強固にフレーム２に取り付けられることとなる。
【００１９】
なお、上部固定金具１６の一方側のネジ孔１６ｅを有する上部固定金具１６に対して、図６のように、背面側からネジ孔１６ｅに対し手回しネジ２１を螺合させる。
この手回しネジ２１は、ネジ孔１６ｅ内に螺合されるネジ部２１ａの後端に外周がローレット加工された手回し部２１ｂが一体形成されており、この手回し部２１ｂを指で摘んで回すことによりネジ部２１ａをネジ孔１６ｅ内に締め付けてゆくことができ、締め付けることでネジ部２１ａの前端が上部横骨３の背面３ｂに押し付けられてゆき、これにより上部横骨３の前面側に右前パネル９ｃの裏面が押し付けられ、右前パネル９ｃの上部が強固に固定されて、前後方向のガタつきがなくなる。なお、天板１５を取り外した状態で、手回しネジ２１により右前パネル９ｃの前後方向を固定するため、工具を使うことなく作業が行え、作業性が良い。
【００２０】
このように上部固定金具１６側では、手回しネジ２１或いは蝶ネジ等を用いてネジ孔１６ｅ内にネジ部２１ａをねじ込んで、前後方向のガタつきをなくすことができ、また、下部固定金具では垂下片２０ｃが下部横骨４に弾性係止されるために、右前パネルの上部および下部はそれぞれ前後方向のガタつきがなくなり、右前パネル９ｃの前面と隣の中央前パネル９ａの前面が面一状となり、中央前パネル９ａと右前パネル９ｃの面段差がなくなり、すっきりとした見栄えの良い右前パネル９ｃの取付状態が得られる。
なお、左前パネル９ｂにおいても同様に、上部および下部の固定金具１６，２０を用いて前後方向にガタつきがない状態で強固にフレーム２に取り付けられ、面段差のないすっきりとした取付状態が得られるものである。
【００２１】
図５に示すように、下部横骨４の背面４ｂには、後方へ突出する位置ずれ防止部材２２が設けられており、この位置ずれ防止部材２２は、例えばネジを下部横骨４の背面４ｂにねじ込んで突出させたものであっても良く、この位置ずれ防止部材２２に、下部固定金具２０の垂下片２０ｃの側縁が当接することで、右前パネル９ｃの左右方向への位置ずれが防がれる。
この位置ずれ防止部材２２は、右前パネル９ｃの側縁が中央前パネル９ａの側縁に隙間なく当接するような位置に予め設けておけば、下部固定金具２０の垂下片２０ｃの側縁がこの位置ずれ防止部材２２に当接することで、確実に右前パネル９ｃの側縁は中央前パネル９ａの側縁に当接して隙間なく位置決めされることとなる。
また、この位置ずれ防止部材２２は下部固定金具２０を下部横骨４に引っ掛ける際の位置決めともなり、右前パネル９ｃの位置合わせが容易なものとなる。
なお、左前パネル９ｂにおいても同様に、後方へ突出する位置ずれ防止部材２２が下部横骨４の背面４ｂに設けられており、下部固定金具２０の垂下片２０ｃの側縁が位置ずれ防止部材２２に当接することで、確実に左前パネル９ｂの側縁は中央前パネル９ａの側縁に当接して隙間なく位置決めされることとなる。
【００２２】
２個の上部固定金具１６，１６には、それぞれ高さ調整ボルト１７，１７が設けられているため、この高さ調整ボルト１７をネジ孔１６ｆにねじ込んで、高さ調整ボルト１７の下端を上部横骨３の上面３ａに押し付けることで、右前パネル９ｃの上下高さを調整することができるものである。
この上下高さ調整は、図８に示すように、フレーム２の前面側上面に設けられている上面横骨８に予め開口孔８ａ，８ａが形成されており、この開口孔８ａ内に上方からドライバー２３を差し込んで、ドライバー２３の下端を高さ調整ボルト１７の上端の頭部に当て、ドライバー２３を回転させて良好に高さ調整ボルト１７をねじ込むことができるように構成されている。
【００２３】
なお、左前パネル９ｂにおいても同様に、２個の上部固定金具１６，１６には、それぞれ高さ調整ボルト１７，１７が設けられ、高さ調整ボルト１７の下端を上部横骨３の上面３ａに押し付けることで、左前パネル９ｂの上下高さを調整することができるものである。
このように高さ調整ボルト１７で高さ調整して、右前パネル９ｃおよび左前パネル９ｂの上端を中央前パネル９ａの上端と揃えることができ、天板１５に対する上端側の段差をなくして、すっきりとした見栄えの良い右前パネル９ｃおよび左前パネル９ｂの取付状態が得られるものである。
【００２４】
なお、本例では、上部側に２個の上部固定金具１６，１６を設け、一方側の上部固定金具１６にネジ孔１６ｅを形成させておき、このネジ孔１６ｅに手回しネジ２１をねじ込む構成としているが、他方側の上部固定金具１６にもネジ孔１６ｅを形成させておき、２個の上部固定金具１６，１６は両方とも手回しネジ２１をねじ込んで前後方向を固定できるように構成しても良い。
さらには、上部固定金具１６は２個以上設けても良く、複数の上部固定金具１６，１６，１６のそれぞれに手回しネジ２１を締め付けて前後方向の固定ができるように構成しても良い。
【００２５】
また、上部固定金具１６は１個で構成しても良く、この場合は、上部固定金具１６は横幅の長い形状に設定して、この横幅の長い上部固定金具１６にネジ孔１６ｅおよびネジ孔１６ｅを形成させておき、ネジ孔１６ｅ内に手回しネジ２１を締め付けて前後方向が固定でき、また、ネジ孔１６ｆに高さ調整ボルト１７をねじ込んで、高さ調整ができるように構成しておくことができ、１個の上部固定金具１６の場合には、ガタつき防止のため、１個の上部固定金具に２以上のネジ孔１６ｅ，１６ｅを形成させて、２以上の手回しネジ２１をそれぞれ締め付けて、複数の手回しネジ２１で前後方向を固定できるようにしても良く、高さ調整ボルト１７も２以上設けて、複数の高さ調整ボルト１７で高さ調整できるように構成しても良い。
【符号の説明】
【００２６】
１  小便器ユニット
２  フレーム
３  上部横骨
４  下部横骨
３ａ，４ａ  上面
３ｂ，４ｂ  背面
５  縦骨
７  後部横骨
８  上面横骨
８ａ  開口孔
９ａ  中央前パネル
９ｂ  左前パネル
９ｃ  右前パネル
１０  小便器
１１ａ，１１ｂ  隙間調整部材
１５  天板
１６  上部固定金具
１６ａ  固定片
１６ｂ  載置片
１６ｃ  垂下片
１６ｄ  ガイド片
１６ｅ  ネジ孔
１６ｆ  ネジ孔
１７  高さ調整ボルト
１８  ビス
２０  下部固定金具
２０ａ  固定片
２０ｂ  載置片
２０ｃ  垂下片
２０ｄ  ガイド片
２０ｅ  縦長孔
２１  手回しネジ
２１ａ  ネジ部
２１ｂ  手回し部
２２  位置ずれ防止部材
【図１】
2011208406.tif 000003
【図２】
2011208406.tif 000004
【図３】
2011208406.tif 000005
【図４】
2011208406.tif 000006
【図５】
2011208406.tif 000007
【図６】
2011208406.tif 000008
【図７】
2011208406.tif 000009
【図８】
2011208406.tif 000010